(57)【要約】【課題】アジテータにより氷が定期的に攪拌されるときに、クズ氷や小さな氷をアイスストッカの下層から中層、そして上層側へと強制的に攪拌誘導させることができるように改良されたオーガ式製氷機を提供する。【解決手段】製氷部１と、氷Ｍを貯蔵するためのアイスストッカ２とを備えている。アイスストッカ２内にはアジテータ７を備え、かつ、アイスストッカ２の周面には氷放出口８を開閉するための氷放出扉１０を備えている製氷機Ａのアイスストッカ２の内周面に沿わせてアジテータ７の回転方向に向けた上向きスロープ状に氷押上げ誘導手段１３を備え、アジテータ７が回転したときに、アイスストッカ２の下層側に溜まるクズ氷などを上層側へと押し上げ誘導するように構成している。【選択図】図１
2008249319.tif 000002
【特許請求の範囲】
【請求項１】
氷を製氷するための製氷部と、この製氷部の上部に連通状に備えられて製氷された前記氷を貯蔵するためのアイスストッカと、を備え
前記アイスストッカは、前記製氷部のオーガの上端部に取り付けられて内設されるアジテータを備えているとともに、周面に開口されている氷放出口を開閉するための氷放出扉を備えているオーガ式製氷機であって、
前記アイスストッカの内周面に沿わせて氷押上げ誘導手段を備え、
この氷押上げ誘導手段は、前記アジテータの攪拌ピンと干渉しないように、前記アイスストッカの内底部側から前記アジテータの回転方向に向けた上向きのスロープ状に形成され、前記アジテータが回転したときに、前記アイスストッカの下層側の氷を上層側へと押し上げ誘導するように構成されていることを特徴とするオーガ式製氷機。
【請求項２】
前記氷押上げ誘導手段は、前記アイスストッカの内周面から内方に向けた張出し幅が、前記アイスストッカの前記内底部側から前記上向きスロープ方向に向けた途中部位、または、前記内底部側から広くなるように形成されていることを特徴とする請求項１に記載のオーガ式製氷機。
【請求項３】
前記氷押上げ誘導手段は、パイプ材または棒材から形成されていることを特徴とする請求項１に記載のオーガ式製氷機。
【請求項４】
前記氷押上げ誘導手段は、前記氷放出口の上方に位置して該氷放出口を跨ぐように、アイスストッカの内周面に備えられていることを特徴とする請求項１から請求項３のいずれか1項に記載されているオーガ式製氷機。
【発明の詳細な説明】
【技術分野】
【０００１】
本発明は、オーガ式製氷機に関する。
【背景技術】
【０００２】
オーガ式製氷機（以後、単に製氷機と称する）としては、特許文献１や特許文献２などにおいて知られている。その一例を図７に示す。
【０００３】
図７に示すように、製氷機Ａ−１は、チップ形状やブロック形状の氷Ｍを製氷するための製氷部１と、この製氷部１の上部に連通状に取り付けられるアイスストッカ２とを備えて構成されている。これにより、製氷部１で製氷された氷Ｍがアイスストッカ２内へと押出されて貯蔵（貯氷）されるようにしている。
【０００４】
そして、アイスストッカ２は、製氷部１のオーガ１ａと一体に回転するようにアジテータ７を内部に備えている。また、アイスストッカ２は、下層側の周面に開口されている氷放出口８を備えている。この氷放出口８には、ソレノイド９と図示省略のバネ材とによって開閉させられる氷放出扉１０が備えられている。
【０００５】
また、アイスストッカ２は、図７に示すように、氷放出口８の上方位置に規制壁板１４を備えている。この規制壁板１４は、氷放出口８の上方を覆うようにアイスストッカ２の内周面から内方（中心方向）に向けて張り出すように備えられている。
これにより、アイスストッカ２内に貯留されている氷Ｍ、特に氷放出口８の上側（上方）において貯留されている氷Ｍの荷重が、氷放出口８の氷放出扉１０に接して近くに存在している氷Ｍに掛からないように、規制壁板１４によって受け止め、氷放出扉１０が開いたときに、氷放出口８から定量の氷Ｍが速やかに排出させるための排出流動性を持たせている。
【特許文献１】特開平５−２４８７４７号公報（段落番号０００２〜０００４、および図１、図４参照）
【特許文献２】特開２００５−１０６４０６号公報（段落番号００１３〜００１６、および図１参照）
【発明の開示】
【発明が解決しようとする課題】
【０００６】
ところで、製氷部１で製氷されてアイスストッカ２に送り込まれた氷が、長時間にわたり使用されることなく貯留（貯氷）された状態が継続されると、外気温などの影響により融けて細氷化、シャーベット化することがある。そして、細氷化、シャーベット化された氷は、主に図７に示すように、アイスストッカ２の内底部２ａに備えられている無数の孔が開口されている多孔板（スノコ）１１の上に滞留し、この滞留状態が長時間にわたり続くことで、大きな氷の塊Ｎができてしまうなどの品質管理が難しいと言われている。
この大きな氷の塊Ｎは、シャーベット化された氷ｎの集合によるのみならず、図７に示すように、適正の大きさを有する氷Ｍをもシャーベット化された氷ｎにくっ付きあって発生するものである。
【０００７】
ちなみに、アイスストッカ２内の氷が細氷化、シャーベット化になる原因としては、単純に外気温の影響により解けることによるのみならず、氷が製氷されるために製氷部１に供給される水の水質も影響している。
つまり、水質によっては、氷押出しヘッド４を通過する過程において水分が完全に脱水されずに軟質の氷でアイスストッカ２に送り込まれることがある。すると、氷Ｍを攪拌するためにアジテータ７が回転したときに、軟質の氷は角が欠けたりしてクズ氷になってしまう傾向があり、このクズ氷は外気温などの影響により直ぐに解けずに、多孔板１１の上にシャーベット状の集合体となって滞留し、大きな氷の塊となる。
【０００８】
このように、外気温や水質などの影響によってアイスストッカ２内の多孔板１１の上には大きな氷の塊Ｎができ易く、この塊Ｎが徐々に成長して厚さが増してくると、氷Ｍを攪拌するためにアジテータ７が回転したときに、アジテータ７の放射状で上下方向に向きを変えて斜めに備えられている攪拌ピン７ａと成長した塊との間にクズ氷などが挟まるなどによって攪拌ピン７ａに大きな負荷がかかり、攪拌ピン７ａは徐々に金属疲労を起して折れてしまうといったトラブルを引き起こすおそれがあった。
【０００９】
また、クズ氷や小さな氷がアイスストッカ２内の多孔板１１の上に溜まる原因は、氷を定期的に攪拌するために行われるアジテータ７の回転によって、クズ氷や小さな氷は、正規の大きさを有するチップ形状やブロック形状の間にできる空隙を通ってアイスストッカ２の下層側へと移動（落下）し易いからである。そのために、アイスストッカ２内における氷の粒度分布は、下層側にクズ氷や小さな氷が多く溜まり易くなり、中層から上層側にかけて正規の大きさを有する氷が多くなる傾向がある。
【００１０】
そこで、本願発明者は、これらの問題を解消するために長年にわたり研究を重ねてきた結果、多孔板の上などのアイスストッカの下層側に溜まり易いクズ氷や小さな氷を、正規の大きさを有する氷と混じり合わせた状態でアイスストッカの下層から上層側の内部略全域に分散させて氷の粒子分布を均一に維持することによって大きな氷の塊の発生を防ぐことができることに着目し、本発明に至ったものであり、その目的とする処は、アジテータにより氷が定期的に攪拌されるときに、クズ氷や小さな氷をアイスストッカの下層から中層、そして上層側へと強制的に押し上げ誘導させることができるように改良されたオーガ式製氷機を提供することにある。
【課題を解決するための手段】
【００１１】
前記課題を解決するために本発明では、氷を製氷するための製氷部と、この製氷部の上部に連通状に備えられて製氷された前記氷を貯蔵するためのアイスストッカと、を備え、前記アイスストッカは、前記製氷部のオーガの上端部に取り付けられて内設されるアジテータを備えているとともに、周面に開口されている氷放出口を開閉するための氷放出扉を周面に備えているオーガ式製氷機であって、
前記アイスストッカの内周面に沿わせて氷押上げ誘導手段を備え、この氷押上げ誘導手段は、前記アジテータの攪拌ピンと干渉しないように、前記アイスストッカの内底部側から前記アジテータの回転方向に向けた上向きのスロープ状に形成されて、前記アジテータが回転したときに、前記アイスストッカの下層側の氷を上層側へと押上げ誘導するように構成されていることを特徴とする。
ここで、前記氷押上げ誘導手段は、前記アイスストッカの内周面から内方に向けた張出し幅が、前記アイスストッカの前記内底部側から前記上向きスロープ方向に向けた途中部位、または、前記内底部側から広くなるように形成されていることが好適なものとなる。
【００１２】
このような構成によれば、アジテータが回転し、アイスストッカの内周面方向に向けて放射状に備えられている各攪拌ピンによって、アイスストッカの内底部側の氷が回転方向に向けて押されるように移動させられる氷の攪拌（流動）がアイスストッカ内に起こる。
すると、氷が氷押上げ誘導手段へと押されて、この氷押上げ誘導手段に沿ってアイスストッカの中層、上層側へと押し上げ誘導されていく。このとき、アイスストッカの内底部側、特に内底部に備えられている多孔板（スノコ）の上に溜まり易いクズ氷や小さな氷などは正規の大きさを有する氷の表面に付着し、アジテータの回転に伴い次々に氷押上げ誘導手段によって中層、上層側へと押し上げ誘導されて行く。
これにより、アイスストッカ内の下層から上層側に至る内部略全域においてクズ氷や小さな氷と正規の大きさを有する氷とが混じり合うこととなる。
【００１３】
また、アイスストッカの内周面からの氷押上げ誘導手段の張出し幅が、アジデータの回転方向に向けた上向きのスロープ方向に幅広に形成されていることにより、氷押上げ誘導手段の傾斜下端側に押し出されたクズ氷や小さな氷は、中層、上層側へと確実に押し上げ誘導されていく。
これにより、中層、上層側に存在している正規の大きさを有する氷と確実に混ざり合わせることができる。つまり、アイスストッカ内における氷の粒度分布を下層から中層、そして上層側の内部略全域にわたり均一に保つことができる。
【００１４】
また、本発明では、前記氷押上げ誘導手段が、パイプ材または棒材を用いて形成されていることを特徴とする。
ここで、パイプ材または棒材の輪切り断面形状としては、丸形、四角形、長方形などを挙げることができる。また、パイプ材または棒材からなる氷押上げ誘導手段は、スポット溶接などによってアイスストッカの内周面に固着される。
【００１５】
このような構成によれば、アイスストッカの内周面に沿わせ、なおかつ、アイスストッカの内底部側からアジテータの回転方向に向けた上向きのスロープ状に備えられる氷押上げ誘導手段を、アイスストッカの内周面に沿わせた曲げ加工が自在なパイプ材または棒材を用いて形成することができる。
つまり、氷押上げ誘導手段を簡単な曲げ加工によって形成した後に、アイスストッカの内周面に備えることができる。
【００１６】
また、本発明では、前記氷押上げ誘導手段が、前記氷放出口の上方に位置して該氷放出口を跨ぐように、アイスストッカの内周面に備えられていることを特徴とする。
【００１７】
このような構成によれば、氷放出口の上方の位置を、アイスストッカの内周方向に跨ぐようにアイスストッカの内周面から張り出させて存在させた氷押上げ誘導手段が、従来の製氷機のアイスストッカに備えられている規制壁板と同様の作用（機能）を発揮することが期待される。
これにより、既設の規制壁板をアイスストッカ内に備える必要がなくなる。つまり、アイスストッカの内周面から内方へ張り出すように規制壁板が備えられていることによって発生していたアジテータの攪拌ピンと規制壁板との間に氷が挟まれることなどによる攪拌ピンの金属疲労に伴う破損や、規制壁板の破損などのトラブルが解消される。
【発明の効果】
【００１８】
本発明に係るオーガ式製氷機は、以上のように構成されていることで、アイスストッカの内底部側（多孔板の上）に溜まり易いクズ氷や小さな氷を、アジテータの回転により氷押上げ誘導手段側へと押し出しながら、該氷押上げ誘導手段上を押上げ誘導（移動）させてアイスストッカの中層、上層側へと強制的に押上げ誘導させることができる。
これにより、中層から上層側に多く存在している正規の大きさを有するチップ形状やブロック形状の氷と押上げ誘導させたクズ氷や小さな氷とを、アイスストッカの内部略全域において混じり合わせることができる。
これによって、クズ氷や小さな氷がアイスストッカの内底部側（多孔板の上）に溜まり、この状態が継続されることでおきていた大きな氷の塊の発生などを効果的に抑制することができる。つまり、大きな氷の塊がアイスストッカの内底部側に生成されることによって発生していたアジテータの攪拌ピンの金属疲労による破損、氷放出口が開いても氷が自然落下され難い、そして、氷の排出量にバラツキが生じるなどのトラブルを解決することができる。
【００１９】
また、既設の規制壁板によって備えられていた氷の排出流動性を、アジテータの回転方向に向けた上向きスロープ状の氷押上げ誘導手段によってアイスストッカの氷放出口に付与することができる。つまり、アイスストッカ内に貯留（貯氷）されている氷、特に氷放出口が開口している位置からその上側において貯留されている氷の荷重が、氷放出口の近くに存在している氷に掛からないように受け止めるための排出流動機能を氷押上げ誘導手段によってアイスストッカ内に付与することができる。
これにより、規制壁板が備えられていることで発生していたアジテータの攪拌ピンと規制壁板との間に氷が挟まれることなどによる攪拌ピンの金属疲労に伴う破損や、規制壁板の破損などのトラブルをも解決することができる。
【００２０】
また、氷押上げ誘導手段を曲げ加工が自在なパイプ材または棒材を用いて形成することで、前記の作用を有する氷押上げ誘導手段を、アイスストッカの内周面に備えたオーガ式製氷機を低コストで製作することが可能となる。
【発明を実施するための最良の形態】
【００２１】
以下、本発明の実施形態について、適宜図面を参照しながら詳細に説明する。
図１は、第１実施形態に係る本発明のオーガ式製氷機を示す縦断面図であり、図２は、同横断面図である。
【００２２】
≪製氷機の構成≫
製氷機Ａは、図１に示すように、チップ形状やブロック形状の氷Ｍを製氷するための製氷部１と、この製氷部１の上部に連通状に取り付けられて氷Ｍを貯留（貯氷）するためのアイスストッカ２とを備えて構成されている。
【００２３】
≪製氷部の構成≫
製氷部１は、外周面に冷媒パイプ３を備えている円筒形状のエバポレータ１ｂ内に、オーガ１ａを同軸回転可能に備え、エバポレータ１ｂの上部出口側には氷押出しヘッド４を備えている。
これにより、製氷部１に供給されてくる水は、エバポレータ１ｂの内周面に氷層（氷膜）となって氷結し、この氷層が、図示省略の電動モータなどからの動力によって回転するオーガ１ａにより掻き取られて氷押出しヘッド４へと移送される。氷押出しヘッド４へと移送されてきた氷層は、氷押出しヘッド４を通過する過程において、殆どの水分が脱水されるように圧縮されることで、チップ形状やブロック形状の氷Ｍを製氷するように構成されている。
【００２４】
≪アイスストッカの構成≫
アイスストッカ２は、平面視で略円形形状の有底容器状に形成されており、開口する上部開口には上蓋５が開閉可能に備えられている。
この上蓋５の内側には、図１に示すように、アイスストッカ２内の氷Ｍの貯留量（貯氷量）が予め設定されている貯留状態（満氷状態）になったときに製氷部１の製氷動作を停止させるとともに、氷Ｍが後記する氷放出口８から放出されて、または、氷Ｍが融けて貯留量が少なくなった場合には製氷部１に製氷動作を開始させるための貯留量の低位レベルと高位レベルとを電気的に検出する上下動可能なフロート（センサー板）６が備えられている。
【００２５】
また、このアイスストッカ２は、製氷部１のエバポレータ１ｂの上部側に、内底部２ａの中心部が氷押出しヘッド４と共に連通状に取り付けられるように形成されている。そして、アイスストッカ２の内部に臨む氷押出しヘッド４から突出するオーガ１ａの上端部にアジテータ７が取り付けられており、オーガ１ａの回転と一体に回転するようにしている。
【００２６】
また、アイスストッカ２は、下層側の周面に開口されている氷放出口８を備えている。この氷放出口８は、ソレノイド９と図示省略のバネ材とによって開閉させられる氷放出扉１０を備えている。
これにより、例えば、飲料自動販売機の各種の飲料水のいずれかの販売が行われるときに、アジテータ７が回転を開始すると略同時位に、氷放出扉１０がソレノイド９の通電により一定の時間開く。すると、アイスストッカ２に貯留されている氷Ｍがアジテータ７の後記する攪拌ピン７ａで攪拌されながら氷放出口８へ向けて送られて氷放出口８から自重落下により排出されて、販売口（ベンドステージ）のコップへと投入される。
【００２７】
また、アイスストッカ２の内底部２ａ側には無数の孔が開口されている平面視が円形で、断面が略傘形状に形成されている多孔板（スノコ）１１が備えられている。これにより、氷Ｍがアイスストッカ２の内底部２ａに直接触れないようにしている。
【００２８】
なお、図示を省略しているが、アイスストッカの内周面形状を、多孔板１１が備えられる内底部２ａから上蓋５が開閉可能に備えられている上部開口に向けて略漸次湾曲状に拡開させた形状とすることができる。
【００２９】
≪アジテータの構成≫
アジテータ７は、アイスストッカ２内に突出するオーガ１ａの上端ネジ部１２にねじ込み取り付けられるヘッド部７ｂと、このヘッド部７ｂからアイスストッカ２の内周面の方向に向けて斜め傾斜の放射状に突出させた複数本の攪拌ピン７ａとを備えて構成されている。
【００３０】
また、アイスストッカ２の内周面における適宜の箇所には、図１および図２に示すように、縦長で内方に向けて略山形に突出する横断面形状の氷分離突起１２が備えられている。
これにより、アジテータ７が回転したときに、アジテータ７のよってアイスストッカ２の内周面側に押出されるように回転方向に移動される氷Ｍが、氷分離突起１２を通過するときに受けるアイスストッカ２の内方に向けて押し戻される作用によって、くっ付きあっていた氷Ｍが分離されるようにしている。
【００３１】
そして、本実施形態では、図１および図２に示すように、アイスストッカ２の内周面に沿わせた所定の円弧範囲にて氷押上げ誘導手段１３を備えている。
【００３２】
≪氷押上げ誘導手段の構成≫
図３は、本実施形態に係る氷押上げ誘導手段を示す斜視図である。ここでは、図１および図２を適宜参照しながら説明する。
氷押上げ誘導手段１３は、図３に示すように、アイスストッカの下層側の氷Ｍを中層、上層側へと誘導するための誘導路１３ａと、この誘導路１３ａをアイスストッカ２の内周面に沿わせて取り付けるための取付片部１３ｂとから断面が略Ｌ字形状に形成されている。
この氷押上げ誘導手段１３は、図２に示すように、氷放出口８が開口されているアイスストッカ２の内周部位から中心Ｐを通る対角線上Ｘにおいて、氷放出口８と対面する反対側の内周部位を境に、中心Ｐを支点としてアジテータ７の回転逆方向（紙面上で右回り方向）に３５°至った円周地点からアジテータ７の回転方向（紙面上で左回り方向：図２に示す矢印Ｓ方向）に１３０°至る円弧範囲におけるアイスストッカ２の内周面に沿わせて備えられるように形成されている。
【００３３】
誘導路１３ａは、アイスストッカ２の内周面に沿って、アイスストッカ２の内底部２ａ側からアジテータ７の回転方向（矢印Ｓ方向）に向けて適宜の円弧範囲を有する長さと適宜の傾斜角度を有するスロープ状に形成されている（図１および図２参照）。
そして、この誘導路１３ａは、図２および図３に示すように、傾斜下端Ｐ０側（誘導始端側）における張出し幅Ｌ１よりも傾斜上端Ｐ２側（誘導終端側）の張出し幅Ｌ２が広くなるように形成されている。
具体的に説明すると、傾斜下端Ｐ０側から傾斜途中部位Ｐ１に至る範囲における張出し幅Ｌ１よりも、傾斜途中部位Ｐ１から傾斜上端Ｐ２側に至るにしたがって張出し幅Ｌ２が徐々に広くなるように形成されている。
これにより、アジテータ７が回転したときに、誘導路１３ａの傾斜下端Ｐ０側やその傾斜途中部位Ｐ１などから同誘導路１３ａに押されて、アイスストッカ２の中層、上層側へと押上げ誘導されてくるクズ氷や小さな氷ｍを含めた正規大きさの氷Ｍは、上向きスロープ方向に向けて幅広の誘導路１３ａに沿って確実に押上げ誘導されることとなる。
【００３４】
また、このように、誘導路１３ａの張出し幅Ｌ１，Ｌ２を、傾斜下端Ｐ０側を狭く、傾斜上端Ｐ側に至るにしたがって広くすることにより、アジテータ７の攪拌ピン７ａとの接触を防いで、クズ氷や小さな氷ｍを含めた正規の大きさを有する氷Ｍを、アイスストッカ２の下層側から中層、上層側への確実に押し上げ誘導させることができる。
【００３５】
つぎに、以上のように構成されている第１の実施形態に係る製氷機Ａの動作を簡単に説明する。
図４は、アジテータの回転により、下層側の氷が氷押し上げ誘導によって中層、上層側へと押上げ誘導されるときの状態を示す概略図である。
アイスストッカ２に貯留（貯氷）されている正規の大きさを有する氷Ｍが、長時間にわたり使用されないために融けて細氷化、シャーベット化されて多孔板１１の上に滞留し、この多孔板１１の上に存在している適正の大きさを有する氷Ｍの表面に付着したクズ氷や小さな氷ｍは、飲料水が販売されるときや、定期的に行われる氷Ｍの攪拌のときのアジテータの回転によって、図４の（ａ）に示すように、アジテータ７の攪拌ピン７ａに押されて多孔板１１の上をアジテータ７の回転方向（矢印Ｓ方向）に移動される。
この移動によりアイスストッカ２の内周面側へと押し出され、なおかつ、氷押し上げ誘導路１３の傾斜下端Ｐ０側へと押されてきたクズ氷や小さな氷ｍは、図４の（ｂ）に示すように、正規の大きさを有する氷Ｍとともに氷押上げ誘導手段１３の誘導路１３ａによりアイスストッカの下層側から中層、上層側へと押し上げ誘導されていく。
このとき、先頭をきって誘導路１３ａに載せられた正規の氷Ｍを含めたクズ氷や小さな氷ｍからなる氷の群が、攪拌ピン７ａのアイスストッカ２の内周面の方向に向けた放射長さによってその移動（上層側へ向けた推進）が解除された場合には、後続の同じく攪拌ピン７ａにより押されてくる氷の群によって押されてアイスストッカ２の中層、そして上層側へと押し上げ誘導されていく。
【００３６】
このように、第１の実施形態に係る製氷機Ａによれば、アジテータ７が回転することにより、多孔板１１の上に滞留されたクズ氷や小さな氷ｍは、正規の大きさを有する氷Ｍとともに氷押上げ誘導手段１３の誘導路１３ａを通ってアイスストッカ２の中層、そして上層側へと次々に押し上げ誘導されていく。
これにより、アイスストッカ２内の下層から上層側に至る内部略全域においてクズ氷や小さな氷ｍと正規の大きさを有する氷Ｍとが混じり合うこととなる。これによって、アイスストッカ２内における氷Ｍ，ｍの粒度分布を下層から中層、そして上層側の内部略全域にわたり均一に保つことができる。
【００３７】
図５は、第２の実施形態に係る本発明のオーガ式製氷機を示す縦断面図であり、図６は、同横断面図である。
この第２の実施形態では、氷押上げ誘導手段１３を、図５および図６に示すように、氷放出口１０の上方に位置して該氷放出口１０を跨ぐように、アイスストッカ２の内周面に沿わされて備えている。
このように、第２の実施形態では、アイスストッカ２の内周面に対する氷押上げ誘導手段１３の取り付け位置を変えた以外のその他の構成要素においては、前記した第１の実施形態と基本的に変わりがないことから同じ構成要素に同じ符号を付することにより説明は省略する。
【００３８】
第２の実施形態に係る製氷機Ａのように、氷放出口１０の上方の位置を、アイスストッカ２の内周方向に跨ぐようにアイスストッカ２の内周面から張り出させて存在させた氷押上げ誘導手段１３の誘導路１３ａが、従来の製氷機Ａ−１のアイスストッカ２に備えられている規制壁板１４と同様の作用（機能）を発揮することが期待される。
これにより、既設の規制壁板１４をアイスストッカ２内に備える必要がなくなる。つまり、アイスストッカ２の内周面から内方へ張り出すように規制壁板１４が備えられていることによって発生していたアジテータ７の攪拌ピン７ａと規制壁板１４との間に氷Ｍが挟まれることなどによる攪拌ピン７ａの金属疲労に伴う破損や、規制壁板１４の破損などのトラブルが解消されることになる。
【００３９】
図７は、第３の実施形態に係る本発明のオーガ式製氷機を示す縦断面図であり、図８は、同横断面図である。
この第３の実施形態では、氷押上げ誘導手段１３−１を、図７および図８に示すように、パイプ材または棒材を用いて折り曲げ形成し、氷放出口１０の上方に位置して該氷放出口１０を跨ぐように、アイスストッカ２の内周面に沿わされて備えている。
このように、第３の実施形態では、氷押上げ誘導手段１３−１を、パイプ材または棒材を用いて形成した以外の構成要素においては、前記の第１および第２の実施形態と基本的に同じことから同じ構成要素に同じ符合を付することで重複説明は省略する。
すなわち、氷押上げ誘導手段１３−１は、パイプ材または棒材、図示例では棒材を用いてアイスストッカ２の内底部２ａ側からアジテータ７の回転方向（矢印Ｓ方向）に向けて適宜の傾斜角度を有するスロープ状に形成されている。
【００４０】
なお、パイプ材または棒材の輪切り断面形状としては、丸形、四角形、長方形などを挙げることができる。また、パイプ材または棒材からなる氷押上げ誘導手段３−１は、スポット溶接などによってアイスストッカ２の内周面に固着される。
【００４１】
このように、第３の実施形態のように、パイプ材または棒材を用いて氷押上げ誘導手段３−１を簡単な曲げ加工によって形成した後に、アイスストッカ２の内周面に備えることができる。
これにより、前記の第１および第２の実施形態のように、アジテータ７が回転することにより、多孔板１１の上に滞留されたクズ氷や小さな氷ｍを、正規の大きさを有する氷Ｍとともにアイスストッカ２の中層、そして上層側へと次々に押し上げ誘導する働き（作用）を成す氷押上げ誘導手段１３−１を、アイスストッカ２の内周面に備えた製氷機Ａを低コストで製作することが可能となり、有益である。
【００４２】
なお、本発明の実施形態の具体的な構成は、前記した実施形態に限られるものではなく、請求項１から請求項４に記載の本発明の要旨を逸脱しない範囲で設計変更などがあっても本発明に含まれるものである。
例えば、氷押上げ誘導手段１３の誘導路１３ａのアイスストッカ２の内周面からの張出し幅Ｌ１，Ｌ２を、アイスストッカ２の内底部２ａ側の傾斜下端Ｐ０から傾斜上端Ｐ２に向けて徐々に広くなるように形成する、または、傾斜下端Ｐ０側から傾斜状態Ｐ２側に向けて適宜の円弧範囲にて段階的に広くなるように形成することができる。
【００４３】
また、傾斜下端Ｐ０側から傾斜上端Ｐ２側のスロープ全体に至る張出し幅Ｌ１またはＬ２、或いはＬ２の張出し幅よりも広い張出し幅にて形成することができる。この場合、攪拌ピン７ａと干渉しないように、攪拌ピン７ａの回転高さに合わせて攪拌ピン７ａが通り抜けるのに必要な開口幅（例えば、ピンの太さよりもやや大きめの開口幅）にて誘導路１３ａに、内向きに開口させた凹欠部を設けるなどの工夫を施すことができる。
【００４４】
また、氷押上げ誘導手段１３は、アイスストッカ２の内周面における円弧半周に相当、または、円周略全長にわたるようにアイスストッカ２の内周面に沿わせてスパイラル状に備えることができる。さらにまた、氷押上げ誘導手段１３を、アイスストッカ２の内周面に沿わせて数ヶ所に備えることができる。
【図面の簡単な説明】
【００４５】
【図１】第１実施形態に係る本発明のオーガ式製氷機を示す縦断面図である。
【図２】同オーガ式製氷機の横断面図である。
【図３】本実施形態に係る氷押上げ誘導手段を示す斜視図である。
【図４】アジテータの回転により、下層側の氷が氷押し上げ誘導によって中層、上層側へと押上げ誘導されるときの状態を示す概略図であり、（ａ）は、クズ氷や小さな氷が正規の大きさを有する氷とともに、攪拌ピンに押されて氷押上げ誘導手段の傾斜下端Ｐ０側に移動されてくる状態を示す、（ｂ）は、クズ氷や小さな氷が正規の大きさを有する氷とともに、攪拌ピンに押されて氷押上げ誘導手段の傾斜下端Ｐ０に移動されて、誘導路に載せられた状態を示す、（ｃ）は、誘導路の載せられたクズ氷や小さな氷が正規の大きさを有する氷とともに、氷押上げ誘導手段の傾斜上端Ｐ２側へと押し上げ誘導されている状態を示す。
【図５】第２実施形態に係る本発明のオーガ式製氷機を示す縦断面図である。
【図６】同オーガ式製氷機の横断面図である。
【図７】第３実施形態に係る本発明のオーガ式製氷機を示す縦断面図である。
【図８】同オーガ式製氷機の横断面図である。
【図９】従来のオーガ式製氷機を示す横断面図である。
【符号の説明】
【００４６】
Ａ      製氷機
１      製氷部
１ａ    オーガ
２      アイスストッカ
２ａ    最底部
７      アジテータ  
７ａ    攪拌ピン  
８      氷放出口
１０    放出口扉
１１    多孔板（スノコ）
１３，１３−１  氷押上げ誘導手段
１３ａ  誘導路
Ｍ      氷
【図１】
2008249319.tif 000003
【図２】
2008249319.tif 000004
【図３】
2008249319.tif 000005
【図４】
2008249319.tif 000006
【図５】
2008249319.tif 000007
【図６】
2008249319.tif 000008
【図７】
2008249319.tif 000009
【図８】
2008249319.tif 000010
【図９】
2008249319.tif 000011